(57)【要約】【課題】荷重を受けて弾性変形した際の変形量の許容範囲を向上させることができる椅子用荷重支持部材を提供する。【解決手段】前側（一の方向の一方側）に突出する凸曲面状に形成されて荷重を受ける荷重支持面を有する弾性変形可能な荷重支持面材８と、荷重支持面材８の外周縁部に沿った環状に形成されて荷重支持面材８を支持する弾性変形可能な外周枠部９と、を有し、荷重支持面材８は、外周縁部に設けられて外周枠部９と接続される接続部８１と、接続部８１の内側に接続部８１と連続して設けられて荷重支持面が形成された本体部８２と、を有するとともに、外周枠部９よりも弾性変形しやすく構成され、接続部８１は、外周枠部９に対して前側から接続された前側接続部（第１接続部）８１１と、外周枠部９に対して内側から接続された内側接続部（第２接続部）８１２、とを有する。【選択図】図９
2018174993.tif 000002
【特許請求の範囲】
【請求項１】
椅子に取り付けられて前記椅子の着座者の一の方向の一方側から他方側に向かう荷重を受ける椅子用荷重支持部材において、
前記一の方向の一方側に突出する凸曲面状に形成されて前記荷重を受ける荷重支持面を有する弾性変形可能な荷重支持面材と、
前記荷重支持面材の外周縁部に沿った環状に形成されて前記荷重支持面材を支持する弾性変形可能な外周枠部と、を有し、
前記荷重支持面材は、外周縁部に設けられて前記外周枠部と接続される接続部と、前記接続部の内側に前記接続部と連続して設けられて前記荷重支持面が形成された本体部と、を有するとともに、前記外周枠部よりも弾性変形しやすく構成され、
前記接続部は、前記外周枠部に対して前記一の方向の一方側から接続された第１接続部と、前記外周枠部に対して内側から接続された第２接続部と、を有することを特徴とする椅子用荷重支持部材。
【請求項２】
前記接続部は、前記外周枠部に対して外側から接続された第３接続部を有することを特徴とする請求項１に記載の椅子用荷重支持部材。
【請求項３】
前記外周枠部は、少なくとも一部に外側に湾曲する湾曲部を有することを特徴とする請求項１または２に記載の椅子用荷重支持部材。
【請求項４】
前記外周枠部は、前記荷重支持面材の外周縁部の一部に沿って延びる第１外周枠部と、前記荷重支持面材の外周縁部の前記一部以外に沿って延びる第２外周枠部と、を有し、
前記第１外周枠部の一方の端部と前記第２外周枠部の一方の端部とが交差するように接合され、
前記第１外周枠部の他方の端部と前記第２外周枠部の他方の端部とが交差するように接合され、
前記第１外周枠部は、前記第２外周枠部と離間する側に湾曲する前記湾曲部を有し、
前記第２外周枠部は、前記第１外周枠部と離間する側に湾曲する前記湾曲部を有することを特徴とする請求項３に記載の椅子用荷重支持部材。
【請求項５】
前記外周枠部は、一の方向に直交する水平方向となる幅方向の寸法が、上下方向の寸法よりも大きく形成されていることを特徴とする請求項４に記載の椅子用荷重支持部材。
【請求項６】
前記第１外周枠部と前記第２外周枠部との接合部分には、前記荷重支持面材および前記外周枠部の位置を調整する際に使用者が把持可能な操作部が設けられていることを特徴とする請求項４または５に記載の椅子用荷重支持部材。
【発明の詳細な説明】
【技術分野】
【０００１】
本発明は、椅子用荷重支持部材に関する。
【背景技術】
【０００２】
従来、椅子に着座した着座者の腰を支持するランバーサポートや、頭を支持するヘッドレストなどの椅子用荷重支持部材が知られている。例えば、特許文献１および２には、着座者からの荷重を支持する荷重支持面を構成する荷重支持面材がウレタン系エラストマなどの弾性変形可能な軟質の樹脂を材料として形成されたランバーサポートが開示されている。このようなランバーサポートは、荷重支持面材が着座者から受けた荷重によって弾性変形して着座者の体型に合わせた形状となって、着座者の腰を支持することができる。
ランバーサポートの荷重支持面材は、外周縁部が枠材などに支持されているため、着座者から荷重を受ける方向以外の方向には弾性変形しにくいように構成されている。
【０００３】
ところで、ランバーサポートにおける荷重を受けて弾性変形した際の変形量の許容範囲が大きいと、ランバーサポートが大きく弾性変形した状態で着座者の腰を支持することができる。例えば、着座者が大きな体格で、ランバーサポートに大きな荷重が作用する場合に、ランバーサポートがその荷重に合せて大きく弾性変形した状態で着座者の腰を支持することができ、着座者が快適に着座することができる。
【先行技術文献】
【特許文献】
【０００４】
【特許文献１】特許第４８２３５４８号公報
【特許文献２】特許第５１６７５００号公報
【発明の概要】
【発明が解決しようとする課題】
【０００５】
しかしながら、特許文献１に開示されたランバーサポートでは、着座者の腰があたるパッド材が、その後方に位置するベース部材に当接した時点がパッド材の変形限界となるように構成されている。換言すれば、ベース部材がパッド材と当接する壁となる。即ち、特許文献１に開示されたランバーサポートでは、パッド材を後方に弾性変形させうる範囲が小さい。
また、特許文献２に開示されたランバーサポートでは、着座者の腰があたる突出部材の後方に壁となる部材が存しないため、特許文献１の構成と比べると突出部材自体の変形許容範囲が改善されている。しかし、その方向性は前後方向に限られているため、変形量の大きさという点ではさらなる改善の余地がある。
このため、荷重を受けて弾性変形した際の変形量の許容範囲が大きい椅子用荷重支持部材が望まれている。
【０００６】
そこで、本発明は、荷重を受けて弾性変形した際の変形量の許容範囲を向上させることができる椅子用荷重支持部材を提供することを目的とする。
【課題を解決するための手段】
【０００７】
上記目的を達成するため、本発明に係る椅子用荷重支持部材は、椅子に取り付けられて前記椅子の着座者の一の方向の一方側から他方側に向かう荷重を受ける椅子用荷重支持部材において、前記一の方向の一方側に突出する凸曲面状に形成されて前記荷重を受ける荷重支持面を有する弾性変形可能な荷重支持面材と、前記荷重支持面材の外周縁部に沿った環状に形成されて前記荷重支持面材を支持する弾性変形可能な外周枠部と、を有し、前記荷重支持面材は、外周縁部に設けられて前記外周枠部と接続される接続部と、前記接続部の内側に前記接続部と連続して設けられて前記荷重支持面が形成された本体部と、を有するとともに、前記外周枠部よりも弾性変形しやすく構成され、前記接続部は、前記外周枠部に対して前記一の方向の一方側から接続された第１接続部と、前記外周枠部に対して内側から接続された第２接続部と、を有することを特徴とする。
【０００８】
本発明では、椅子用荷重支持部材に着座者の荷重が作用すると、一の方向の一方側に突出している荷重支持面材の荷重支持面に荷重が作用し、荷重支持面材の接続部を介して外周枠部に荷重が作用する。
荷重支持面材は、外周枠部よりも弾性変形しやすく構成されていることにより、椅子用荷重支持部材が荷重を受けると、まず、小さい荷重で荷重支持面材が弾性変形し、更に荷重が大きくなると、荷重支持面材から外周枠部に荷重が伝達し、外周枠部が弾性変形することになる。外周枠部に伝達する荷重は、荷重支持面材が弾性変形する方向の荷重となるため、外周枠部が荷重支持面材が弾性変形する方向に弾性変形する。これにより、外周枠部が荷重支持面材の弾性変形を拘束する拘束力が弱まるため、荷重支持面材もさらに弾性変形することができる。このように、荷重支持面材の荷重を受けて弾性変形した際の変形量の許容範囲を向上させることができる。弾性変形しやすいとは、例えば、相対的に剛性が低く荷重が作用すると容易に変形できる、または変形量が大きいなどの性質を示している。
【０００９】
ここで、本発明では、荷重支持面材の外周枠部と接続されている接続部が、外周枠部に対して一の方向の一方側から接続された第１接続部と、外周枠部に対して内側から接続された第２接続部と、を有している。これにより、第１接続部から外周枠部に対して一の方向の一方側から他方側に向かって荷重が伝達しやすく、第１接続部から外周枠部に対して内側から外側に向かって荷重が伝達しやすい。
荷重支持面材の弾性変形によって外周枠部に伝達する荷重の方向は、主に一の方向の一方側から他方側に向かう方向、および外周枠部の内側から外側に向かう方向である。このため、荷重支持面に着座者の荷重が作用した際に荷重支持面材から外周枠部に効率的に荷重を伝達することができ、外周枠部を効率的に弾性変形させることができる。その結果、荷重支持面材がさらに弾性変形することができて、荷重支持面材の荷重を受けて弾性変形した際の変形量の許容範囲を向上させることができる。
これにより、椅子用荷重支持部材がその荷重に合せて大きく弾性変形した状態で着座者の例えば腰や頭部などの対象部位を支持することができ、着座者が快適に着座することができる。
【００１０】
また、本発明に係る椅子用荷重支持部材では、前記接続部は、前記外周枠部に対して外側から接続された第３接続部を有していてもよい。
このような構成とすることにより、接続部が外周枠部と確実に接続され、荷重支持面材が外周枠部から外れることを防止できる。
【００１１】
また、本発明に係る椅子用荷重支持部材では、前記外周枠部は、少なくとも一部に外側に湾曲する湾曲部を有していてもよい。
このような構成とすることにより、外周枠部が湾曲部において外側に弾性変形しやすくなる。また、外周枠部に対して所望の位置に湾曲部を設けることにより、外周枠部の変形性状を調整することができる。例えば、外周枠部の一部に湾曲部を設けることで、一定の方向に対して弾性変形して湾曲しやすい形態としたり、外周枠部の全体に湾曲部を設けることで均等に弾性変形して湾曲しやすい形態としたりすることができる。
【００１２】
また、本発明に係る椅子用荷重支持部材では、前記外周枠部は、前記荷重支持面材の外周縁部の一部に沿って延びる第１外周枠部と、前記荷重支持面材の外周縁部の前記一部以外に沿って延びる第２外周枠部と、を有し、前記第１外周枠部の一方の端部と前記第２外周枠部の一方の端部とが交差するように接合され、前記第１外周枠部の他方の端部と前記第２外周枠部の他方の端部とが交差するように接合され、前記第１外周枠部は、前記第２外周枠部と離間する側に湾曲する前記湾曲部を有し、前記第２外周枠部は、前記第１外周枠部と離間する側に湾曲する前記湾曲部を有していてもよい。
このような構成とすることにより、第１外周枠部の一方の端部と第２外周枠部の一方の端部との接合部、および第１外周枠部の他方の端部と第２外周枠部の他方の端部との接合部を起点として、第１外周枠部および第２外周枠部をそれぞれ互いに離間する方向に弾性変形して湾曲させることができる。そして、第１外周枠部および第２外周枠部の位置を調整することにより、第１外周枠部と第２外周枠部とを所望の方向に離間させるように弾性変形して湾曲させることができる。
例えば、第１外周枠部を上側に配置し、第２外周枠部を下側に配置することにより、第１外周枠部と第２外周枠部とを上下に離間させるように湾曲させることができる。
【００１３】
また、本発明に係る椅子用荷重支持部材では、前記外周枠部は、一の方向に直交する水平方向となる幅方向の寸法が、上下方向の寸法よりも大きく形成されていてもよい。
このような構成とすることにより、外周枠部が幅方向よりも上下方向に弾性変形しやすくなる。このため、荷重支持面材を幅方向よりも上下方向に弾性変形しやすい構成とすることができる。
【００１４】
また、本発明に係る椅子用荷重支持部材では、前記第１外周枠部と前記第２外周枠部との接合部分には、前記荷重支持面材および前記外周枠部の位置を調整する際に使用者が把持可能な操作部が設けられていてもよい。
このような構成とすることにより、使用者が操作部を把持して位置調整を行った際に、外周枠部が操作部から受ける負荷は、第１外周枠部と第２外周枠部との接合部分に作用する。この第１外周枠部と第２外周枠部との接合部分は、第１外周枠部および第２外周枠部における他の部分と比べて高強度となる。このため、使用者が操作部を把持して行う位置調整が頻繁に行われたとしても、外周枠部が操作部から受ける負荷によって損傷したり変形したりすることを防止できる。
【発明の効果】
【００１５】
本発明によれば、荷重を受けて弾性変形した際の変形量の許容範囲を向上させることができる。
【図面の簡単な説明】
【００１６】
【図１】本発明の実施形態に係る椅子用荷重支持部材（ランバーサポート）が設けられた椅子の一例を示す斜視図である。
【図２】本発明の実施形態に係る椅子用荷重支持部材が設けられた椅子の一例を示す他の斜視図である。
【図３】本発明の実施形態による背凭れの一部を示す斜視図である。
【図４】本発明の実施形態による背凭れの下枠材を説明する断面斜視図である。
【図５】本発明の実施形態による背凭れの分解斜視図である。
【図６】本発明の実施形態による背凭れの下部側を示す正面図である。
【図７】図６のＡ−Ａ線断面図である。
【図８】図６のＢ−Ｂ線断面図である。
【図９】図６のＣ−Ｃ線断面図である。
【図１０】図６のＤ−Ｄ線断面図である。
【図１１】図６のＥ−Ｅ線断面図である。
【図１２】（ａ）は本発明の実施形態による第１取付部材の正面図、（ｂ）は（ａ）の側面図、（ｃ）は（ａ）の背面図である。
【図１３】（ａ）は本発明の実施形態による第２取付部材の正面図、（ｂ）は（ａ）の側面図、（ｃ）は（ａ）の背面図である。
【図１４】図６のＦ−Ｆ線断面図である。
【図１５】下枠材に取り付けられた第２取付部材を説明する図である。
【図１６】下枠材に取り付けられた第２取付部材を説明する他の図である。
【図１７】（ａ）はランバーサポートに荷重が作用した様子を説明する図、（ｂ）はランバーサポートに更に荷重が作用した様子を説明する図である。
【発明を実施するための形態】
【００１７】
以下、本発明の実施形態による椅子用荷重支持部材について、図１乃至図１７に基づいて説明する。
図１に示す椅子１１は、床面１２の上に設置される脚部１３と、脚部１３の上部に設置されたボックス状の支基１４と、支基１４の上部に取り付けられた座受け部材１５と、座受け部材１５にスライド可能に支持され着座者が着座可能な座体１６と、支基１４から延び座体１６に着座した着座者の背中を支持可能な背凭れ１と、を有している。この椅子１１の背凭れ１が有するランバーサポート４が椅子用荷重支持部材となっている。
【００１８】
脚部１３は、キャスタ１３１ａ付きの多岐脚１３１と、多岐脚１３１の中央部より起立し昇降機構であるガススプリング（不図示）を内蔵する脚柱１３２と、を有している。
脚柱１３２の下部を構成する外筒１３３は、多岐脚１３１に回転不能に嵌合して支持されている。脚柱１３２の上部を構成する内筒１３４は、上端部に支基１４を固定して支持するとともに、下部が外筒１３３に水平方向で回転可能に支持されている。
【００１９】
支基１４には、脚柱１３２の昇降調整機構と背凭れ１の傾動調整機構が内蔵されている。
座受け部材１５は、支基１４の上部に取り付けられた４本のリンクアーム（不図示）と、リンクアームどうしを連結する左右一対の固定フレーム（不図示）と、を有している。
座体１６は、座フレーム１６１と、座フレーム１６１に張設された面材１６２と、を有している。
【００２０】
背凭れ１は、支基に枢支される強度部材としての背凭れ支持部材２１と、背凭れ支持部材の前側に支持される背凭れ本体２２と、背凭れ本体２２の一部をなし背凭れ本体２２の外周形状を画定する背枠部材２２ａの内周空間に架設される面材３と、背凭れ支持部材２１に取り付けられたランバーサポート４と、を有している。図１および図２以外では、面材３の図示を省略している。
ランバーサポート４は、椅子１１に着座した着座者の腰にあたる位置に配置されている。本実施形態では、ランバーサポート４は、前後方向（一の方向）の前側（一方側）から後側（他方側）に向かう着座者の荷重を受けるように構成されている。
【００２１】
背凭れ支持部材２１は、下辺部２１１と、側辺部２１２と、上辺部２１３と、を有している。下辺部２１１と側辺部２１２と上辺部２１３とは、例えばアルミ等の金属または所定の強度を有する樹脂等により一体に形成されている。
【００２２】
下辺部２１１は、支基１４内の傾動調整機構に連結され、支基１４の後部の左右両側からそれぞれ延びて２つ設けられている。下辺部２１１は、上方に向かうに従って漸次後方に向かうように傾斜している。また、下辺部２１１には、座体１６の側方に配置される肘掛けがそれぞれ設けられている。
側辺部２１２は、２つの下辺部２１１部の上端部それぞれに連続して形成されて２つ設けられている。側辺部２１２は、それぞれ上方に向かうに従って漸次幅方向の外側（互いに離間する側）に向かうように傾斜している。
側辺部２１２の下部側は、上方に向かうに従って漸次前方に向かうように傾斜している。側辺部２１２の上部側は、上方に向かうに従って漸次後方に向かうように傾斜している。２つの側辺部２１２の上部どうしは、上辺部２１３によって連結されている。
【００２３】
背凭れ本体２２は、背凭れ１の幅方向に離間して配置された一対の縦枠材２２１と、一対の縦枠材２２１の上端どうしを連結する上枠材２２２と、一対の縦枠材２２１の下端どうしを連結する下枠材２２３と、を有している。一対の縦枠材２２１、上枠材２２２、および下枠材２２３は、例えば樹脂等で一体として環状に形成され、面材３から作用する力に応じて弾性変形可能に構成されている。一対の縦枠材２２１、上枠材２２２、および下枠材２２３を合せて背枠部材２２ａとする。
【００２４】
一対の縦枠材２２１、上枠材２２２および下枠材２２３それぞれの外周縁部には、背凭れ１の内方に向かって凹む溝部２２４が周方向に連続して形成されている。溝部２２４は、面材３の外周端部が巻き込まれて、面材３を係止するように構成されている。面材３は、背凭れ本体２２の前側に配置され、外周縁部近傍が背凭れ本体２２の外側に回り込むようにして巻き込まれて、外周縁部が溝部２２４に係合している。面材３は、背凭れ１に寄りかかった着座者の荷重を受けるように構成されている。
【００２５】
一対の縦枠材２２１は、それぞれ上下方向に沿って延びている。詳細には、一対の縦枠材２２１は、下方に向かうに従って漸次幅方向の内側に向かうように傾斜している。図３に示すように、一対の縦枠材２２１（図３では一方の縦枠材２２１のみを示している）は、それぞれ幅方向の外側に配置され溝部２２４が形成された基部２２１ａと、基部２２１ａの後縁部から幅方向の内側に向かうに従って漸次前方に向かうように突出する突出部２２１ｂと、を有している。基部２２１ａおよび突出部２２１ｂは、それぞれ一対の縦枠材２２１の長さ方向（高さ方向）全体にわたって形成されている。
図２に示すように、一対の縦枠材２２１それぞれの上部と下部には、それぞれ、後方に向かって延びる上部連結部２２５および下部連結部２２６が一体に形成されている。上部連結部２２５および下部連結部２２６の先端部（後端部）は、それぞれ背凭れ支持部材２１の側辺部２１２に連結されている。
図１に示すように、上枠材２２２は、幅方向に延びていて幅方向の両端部が一対の縦枠材２２１の上端部と連結されている。上枠材２２２は、幅方向の中央部が両端部よりも上側に突出するように湾曲している。
【００２６】
下枠材２２３は、幅方向に延びていて幅方向の両端部が一対の縦枠材２２１の下端部と連結されている。下枠材２２３は、幅方向の中央部が両端部よりも下側に突出するように湾曲している。下枠材２２３は、ランバーサポート４が着脱可能に構成されている。
図３および図４に示すように、下枠材２２３は、下部側に配置され溝部２２４が形成された基部２３と、基部２３の後縁部から上方に向かうに従って漸次前方に向かうように突出する突出部２４と、基部２３と突出部２４に囲まれた凹状の凹部２５と、を有している。基部２３、突出部２４および凹部２５は、それぞれ下枠材２２３の長さ方向（幅方向）全体にわたって形成されている。
【００２７】
基部２３の上面２３ａのうち突出部２４よりも前側に配置されている部分は、上側を向く面となるように形成されている。基部２３に形成された溝部２２４は、下側かつ後側となる斜め後ろ方向に開口している。
基部２３は、幅方向の両端部がそれぞれ縦枠材２２１の基部２２１ａの下端部と連続していて一体に形成されている。
【００２８】
突出部２４は、基端側（基部２３側）に配置され基部２３から突出する方向に沿って厚さが略均一な板状に形成された板状部２６と、先端部分に配置され板状部２６よりも厚さが厚く膨出する膨出部２７と、を有している。基部２３、板状部２６および膨出部２７は、一体に形成されている。
板状部２６の前側かつ下側を向く面を前面２６ａとし、後側かつ上側を向く面を後面２６ｂとする。板状部２６の前面２６ａは、基部２３の上面２３ａと連続している。
膨出部２７の前面は、前側に突出するように湾曲している。
突出部２４は、幅方向の両端部がそれぞれ縦枠材２２１の突出部２２１ｂの下端部と連続していて一体に形成されている。
【００２９】
凹部２５は、突出部２４の板状部２６の前面２６ａ、および基部２３の上面２３ａによって形成された凹部で、前側に開口している。凹部２５を形成する基部２３の上面２３ａは、本発明の回動拘束面２８を構成している。回動拘束面２８については後述する。
突出部２４のうちの下枠材２２３の幅方向の中間部に形成された部分に、後述する第１被係止部６３が係止されている。突出部２４のうちの幅方向の中間部で第１被係止部６３が係止される部分を第１係止部２４ａとする。
凹部２５のうちの下枠材２２３の幅方向の中間部に形成された部分に、後述する第２被係止部５１２が係止されている。凹部２５のうちの幅方向の中間部で第２被係止部５１２が係止される部分を第２係止部２５ａとする。
【００３０】
凹部２５には、第２係止部２５ａの両側方それぞれに壁部２５ｂ，２５ｂが形成されている。壁部２５ｂは、第２係止部２５ａに係止された第２被係止部５１２の幅方向の移動を規制するために設けられている。
壁部２５ｂは、板面が略幅方向を向く板状に形成されていて、前縁部以外が凹部２５の内面と連続している。壁部２５ｂは、基部２３および突出部２４と一体に形成されている。
【００３１】
図３、図５および図６に示すように、ランバーサポート４は、椅子１１（図１参照）に着座した着座者の荷重を受けるランバーサポート本体部４１と、下枠材２２３に取り付けられてランバーサポート本体部４１を支持する取付部４２と、取付部４２を後側から覆う背面カバー４３と、を有している。
【００３２】
ランバーサポート本体部４１は、背凭れ１の面材３の後方に沿うように配置されている。ランバーサポート本体部４１は、背凭れ１の幅方向中央部に配置されるメインサポート部４１１と、メインサポート部４１１の幅方向両側から幅方向外方に向かってそれぞれ延び、ランバーサポート本体部４１を昇降させる昇降操作部（操作部）４１２と、メインサポート部４１１から下方に延びて、取付部４２の高さ調整部７が取り付けられるアーム部４１３と、を有している。これらのメインサポート部４１１、昇降操作部４１２およびアーム部４１３は、一体に形成されている。
【００３３】
メインサポート部４１１は、着座者の荷重を受ける荷重支持面８ａを有する荷重支持面材８と、荷重支持面材８の外周縁部を支持する外周枠部９と、を有している。荷重支持面材８の荷重支持面８ａは、外周枠部９よりも前側に配置されている。
荷重支持面材８は、ウレタン系エラストマなどを材料として形成され、弾性変形可能に構成されている。外周枠部９は、ナイロンなどの荷重支持面材８よりも硬質の樹脂を材料として形成され、弾性変形可能に構成されている。荷重支持面材８は、外周枠部９よりも軟質であり、弾性変形しやすく構成されている。
荷重支持面材８と外周枠部９とは、例えばインサート成形などの手段により一体に成形され、互いに離間しないように構成されている。
【００３４】
外周枠部９は、環状に形成されていて、内側の空部９ａが前後方向に貫通する向きに配置されている。外周枠部９に対して外周枠部９の内部側（内側の空部９ａ側）を内側とし、外部側を外側とする。
本実施形態では、外周枠部９は、第１外周枠部９１および第２外周枠部９２を有している。本実施形態では、第１外周枠部９１が第２外周枠部９２の上側に配置されている。
第１外周枠部９１は、幅方向に対称となる形状の部材で、幅方向の中央部から幅方向の両側それぞれに向かって漸次下側に向かうように延びる棒状に形成されている。第１外周枠部９１は、幅方向の中央部が上側に突出するように湾曲している。第１外周枠部９１は、延在方向（延びる方向）の全体にわたって湾曲していて、本発明の湾曲部（符号９５で示す）が延在方向の全体にわたって形成されている。第１外周枠部９１は、上下方向よりも幅方向の寸法が長くなるように形成されている。
【００３５】
図７乃至図１０に示すように、第１外周枠部９１は、延在方向の全体にわたって略同じ断面形状に形成されている。第１外周枠部９１は、高さ方向（上下方向）よりも前後方向に長く形成されている。第１外周枠部９１は、後端部分の下側に切欠き部９１１が形成され、後端部分に上側に突出する突出部９１２が形成されている。
第１外周枠部９１の表面のうち、前面９１ａの下縁部と連続し切欠き部９１１まで後側に延びる面を内面９１ｂとし、前面９１ａの上縁部と連続し突出部９１２まで後側に延びる面を外面９１ｃとする。
【００３６】
図３、図５および図６に示すように、第２外周枠部９２は、幅方向に対称となる形状の部材で、幅方向の中央部から幅方向の両側それぞれに向かって漸次上側に向かうように延びる棒状に形成されている。第２外周枠部９２は、幅方向の中央部が下側に突出するように湾曲している。第２外周枠部９２は、延在方向（延びる方向）の全体にわたって湾曲していて、本発明の湾曲部（符号９５で示す）が延在方向の全体にわたって形成されている。第２外周枠部９２は、上下方向よりも幅方向の寸法が長くなるように形成されている。
第２外周枠部９２の幅方向の中央部（下端部）には、アーム部４１３が接続されている。
【００３７】
図７乃至図１０に示すように、第２外周枠部９２のうちのアーム部４１３が接続されていない部分（幅方向の両側部分）は、延在方向全体にわたって略同じ断面形状に形成されている。第２外周枠部９２の幅方向の両側部分は、高さ方向よりも前後方向に長く形成されている。第２外周枠部９２の幅方向の両側部分は、後端部分の上側に切欠き部９２１が形成され、後端部分に下側に突出する突出部９２２が形成されている。
【００３８】
第２外周枠部９２のうちのアーム部４１３が接続される幅方向の中央部分は、高さ方向よりも前後方向に長く形成され、前面９２ａが前側に突出するように湾曲している。第２外周枠部９２のうちのアーム部４１３が接続される幅方向の中央部分は、後端部分の下側にアーム部４１３が接続されていて、前端部分はアーム部４１３よりも前側に突出している。第２外周枠部９２のうちのアーム部４１３が接続される幅方向の中央部分における幅方向の両端部近傍には、それぞれ後端部分の上側に上縁部と連続し切欠き部９２１まで後側に延びる面を内面９２ｂとし、前面９２ａの下縁部と連続し突出部９２２若しくは後端部まで後側に延びる面を外面９２ｃとする。
【００３９】
図３、図５および図６に示すように、第１外周枠部９１の延在方向の一方側の端部９１３が第２外周枠部９２の延在方向の一方側の端部９２３と角部９３を形成するように交差して接続され、第１外周枠部９１の延在方向の他方側の端部９１４が第２外周枠部９２の延在方向の他方側の端部９２４と角部９４を形成するように接続されている。
なお、第１外周枠部９１と第２外周枠部９２との間には互いを接続する部材が設けられていない。第１外周枠部９１と第２外周枠部９２とは、角部９３，９４以外では接続されていない。外周枠部９は、上下方向よりも幅方向の寸法が長くなるように形成されている。
第１外周枠部９１と第２外周枠部９２との接合部分となる角部９３，９４には、それぞれ昇降操作部４１２が接続されている。
【００４０】
荷重支持面材８は、外周枠部９の内側に配置され、外周端部の全周が外周枠部９と接続されている。荷重支持面材８は、外周枠部９と接続される接続部８１と、接続部８１の内側に配置され荷重支持面８ａが形成された本体部８２と、を有している。接続部８１と本体部８２とは一体に形成されている。
【００４１】
本体部８２のうちの接続部８１と接続されている縁部近傍を本体部外側部分８２１とし、本体部外側部分８２１よりも内側を本体部内側部分８２２とする。本体部８２は、本体部内側部分８２２が本体部外側部分８２１よりも前側に突出するように湾曲し、凸曲面状に形成されている。
本体部８２における幅方向を向く鉛直面による本体部の断面形状は、本体部内側部分８２２の高さ方向の中間部の一点が最前端に位置するように前側に突出している。図１１に示すように、本体部８２における水平面による本体部の断面形状は、本体部内側部分８２２が本体部外側部分８２１よりも前側に突出しているが、本体部内側部分８２２における幅方向の中央部８２２ａが、この中央部に隣接する本体部内側部分８２２における幅方向の両側の部分８２２ｂよりも後側にやや凹んでいる。
【００４２】
接続部８１は、外周枠部９の前面９１ａ，９２ａに接続される前側接続部（第１接続部）８１１と、外周枠部９の内面９１ｂ，９２ｂに接続される内側接続部（第２接続部）８１２と、外周枠部９の切欠き部９１１，９２１の内部に配置される突出部８１３と、外周枠部９の外面９１ｃ，９２ｃに接続される外側接続部（第３接続部）８１４と、を有している。
内側接続部８１２は、本体部８２の後縁部と連続して形成され、内側の面および外側の面が本体部８２と段差なく滑らかに接続されている。
前側接続部８１１は、本体部８２と連続して形成され、本体部８２と内側接続部８１２との境界部分から外側に突出している。
突出部８１３は、内側接続部８１２の後端部から外側に突出するように形成されている。
外側接続部８１４は、前側接続部８１１の外側の端部から後側に延びるように前側接続部８１１に連続して形成されている。外側接続部８１４は、外周枠部９の突出部９１２と対向する部分は、突出部９１２の前面と当接している。
接続部８１は、本体部８２および外周枠部９と一体に成形され、本体部８２および外周枠部９と互いに離間しないように構成されている。
【００４３】
取付部４２は、下枠材２２３の前側に配置され下枠材２２３に取り付けられる第１取付部材５と、下枠材２２３の後側に配置され下枠材２２３に取り付けられる第２取付部材６と、ランバーサポート本体部４１に取り付けられてランバーサポート本体部４１とともに第１取付部材５および第２取付部材６に高さ調整可能に支持される高さ調整部７と、を有している。
第１取付部材５と、第２取付部材６とは、互いの幅方向の中心が一致するように前後方向に重なって配置されている。
【００４４】
図１２に示すように、第１取付部材５は、上下方向に延びる第１基部５２と、第１基部５２の下縁部から後側に向かって漸次下側に向かう斜め方向に延びる第１延出部５１と、を有している。
【００４５】
図７乃至図９に示すように、第１延出部５１は、下枠材２２３の突出部２４のうちの下枠材２２３の幅方向の中間部に形成された部分（第１係止部２４ａ）の前側で凹部２５のうちの下枠材２２３の幅方向の中間部に形成された部分（第２係止部２５ａ）の内部に配置されている。
第１延出部５１は、突出部２４の膨出部２７の前面および下面と当接するように配置される第１当接部５１１と、第１当接部５１１から下側に向かって漸次に後側に向かうように延びて凹部２５の内部に配置される第２被係止部５１２と、を有している。
【００４６】
第２被係止部５１２の先端部分は、凹部２５の内面と当接していて、詳しくは、凹部２５を形成する突出部２４の板状部２６の前面２６ａおよび回動拘束面２８（基部２３の上面２３ａ）と当接している。
回動拘束面２８は、凹部２５の内部に配置された第２被係止部５１２が膨出部２７を中心として前側に回動した際の第２被係止部５１２の軌跡Ｌ１と交差するように形成されている。
【００４７】
図１２に示すように、第１基部５２は、上方に向かって幅方向の寸法が漸次小さくするよう形成されている。図９に示すように、第１基部５２の下部側には、幅方向に間隔をあけて２つのボルト孔５２１が形成されている。この２つのボルト孔５２１には、それぞれ第１基部５２と第２取付部材６の第２基部６２とを接合するボルト５２２が挿通される。第１基部５２の後面には、第２取付部材６の第２基部６２の前面に形成された第２基部側当接部６２３と当接する第１基部側当接部５２３が形成されている。
第１基部５２には、背面カバー４３と係合される背面カバー係合部（不図示）が適宜形成されている。
【００４８】
図７および図１２に示すように、第１基部５２には、幅方向の略中央部に上下方向に延びるスリット５３が形成され、このスリット５３の幅方向の両側に一対のガイド壁５４が形成されている。
図７に示すように、スリット５３およびガイド壁５４の前方には、ランバーサポート本体部４１のアーム部４１３が配置され、スリット５３およびガイド壁５４の後方には高さ調整部７が配置されるように構成されている。ランバーサポート本体部４１のアーム部４１３と、高さ調整部７とは、スリット５３を介して連結されている。
【００４９】
図７および図１２に示すように、一対のガイド壁５４それぞれの後面には、幅方向の内側（幅方向に互いに近接する側）に後面が平坦面となるスライド面５４１が形成され、幅方向の外側（幅方向に互いに離間する側）に後方に突出するノッチ５４２が上下方向全体にわたって間隔をあけて複数形成されたノッチ面５４３が形成されている。
【００５０】
図１２に示すように、本実施形態では、第１延出部５１と第１基部５２の下部側に、前後方向に貫通する分割スリット５５１が幅方向に間隔をあけて４つ形成されている。４つの分割スリット５５１は、それぞれ第１延出部５１の下端部（第２被係止部５１２の先端部）から第１基部５２の高さ方向の中間部にわたるように延びている。第１延出部５１および第１基部５２の下部側は、幅方向に間隔をあけて４つのスリットが形成されていることにより、幅方向に５つに分割されている。５つに分割されたそれぞれを分割アーム部５５２とすると、５つの分割アーム部５５２それぞれの第１当接部５１１が突出部２４の膨出部２７（図７乃至図９参照）の前面および下面と当接するように配置され、それぞれの第２被係止部５１２が凹部２５（図７乃至図９参照）の内部に配置されるように構成されている。
【００５１】
第１延出部５１と第１基部５２の連続部分には、４つの分割スリット５５１のうちの幅方向の両端に配置された２つの分割スリット５５１それぞれと連続し分割スリット５５１の幅よりも大きく開口されたフック部用開口部５５３が形成されている。フック部用開口部５５３には、後述する第２取付部材６のフック部６１２（図１３参照）が配置されるように構成されている。
【００５２】
図１３に示すように、第２取付部材６は、上下方向に延びる第２基部６２と、第２基部６２の下縁部から後側に向かって漸次下側に向かう斜め方向に延びる第２延出部６１と、を有している。
【００５３】
図７乃至図９に示すように、第２延出部６１は、下枠材２２３の突出部２４のうちの下枠材２２３の幅方向の中間部に形成された部分（第１係止部２４ａ）の板状部２６の後面２６ｂに沿って配置されている。第２延出部６１は、幅方向の中間部に形成されて突出部２４の板状部２６の後面２６ｂと当接するように配置される第２当接部６１１と、幅方向の両端部にそれぞれ形成されて下枠材２２３の突出部２４の膨出部２７に引っ掛けられるフック部６１２（図１１および図１２参照）と、を有している。
第２当接部６１１およびフック部６１２は、それぞれの上端部が第２基部６２と接続されている。第２当接部６１１とフック部６１２とは直接連結されていない。
【００５４】
図９に示すように、第２当接部６１１は、幅方向の両端部分それぞれにおいて、前端部分が突出部２４の膨出部２７の上面に当接していて、前端部分よりも後側の部分が突出部２４の板状部２６の後面２６ｂと当接している。第２当接部６１１の前端部は、第１取付部材５の第１当接部５１１と当接している。
【００５５】
このため、突出部２４の膨出部２７は、幅方向の両端部分それぞれにおいて第１当接部５１１および第２当接部６１１に囲まれていて、突出部２４の板状部２６は、第１当接部５１１と第２当接部６１１とに上下から挟まれている。この状態で第１取付部材５と第２取付部材６とが接合されることで、第１当接部５１１および第２当接部６１１が突出部２４に係止されるように構成されている。ここで、第１当接部５１１および第２当接部６１１の幅方向の両端部分それぞれを合せて第１被係止部６３とする。
第１被係止部６３には、膨出部２７が嵌合する後側に開口する凹部６３１が形成されている。
なお、第２当接部６１１は、幅方向の両端部分それぞれを除いた幅方向の中央部近傍では、突出部２４の板状部２６の後面２６ｂとは当接しているが、突出部２４の膨出部２７とは当接していない。
【００５６】
図１３および図１０に示すように、フック部６１２は、後側に開口する凹部６１２ａが形成されている。フック部６１２は、下枠材２２３の前側に配置され、凹部６１２ａに膨出部２７が入り込むように突出部２４の膨出部２７に前側から引っ掛けられるように構成されている。下枠材２２３の前側に配置されたフック部６１２は、第１取付部材５のフック部用開口部５５３の内部に配置されている。
【００５７】
第２基部６２は、ランバーサポート本体部４１のアーム部４１３の幅寸法よりも大きく、第１取付部材５の第１基部５２の幅寸法よりも小さく形成されている。第２基部６２は、第１基部５２よりも高さ寸法が小さく形成されている。第２基部６２は、第１基部５２の下部側を後側から覆うように配置される。
第２基部６２の前面には、幅方向の略中央部に後側に凹んだ溝部６２１が高さ方向全体にわたって形成されている。溝部６２１は、第１基部５２のスリット５３およびガイド壁５４の後側に配置される。
第２基部６２には、第１基部５２と第２基部６２とを連結するボルト５２２が挿通されるボルト孔６２２が形成されている。第２基部６２の前面には、第１取付部材５の第１基部５２の後面に形成された第１基部側当接部５２３と当接する第２基部側当接部６２３が形成されている。なお、第１基部側当接部５２３と第２基部側当接部６２３とは、互いに平面状に形成されていてもよいし、互いに嵌合する形状に形成されていてもよい。
第２基部６２には、背面カバー４３と係合される背面カバー係合部（不図示）が適宜形成されている。
【００５８】
図７および図８に示すように、高さ調整部７は、第１取付部材５の第１基部５２のスリット５３およびガイド壁５４と第２取付部材６の第２基部６２の溝部６２１が形成された部分との間に設けられている。
図５、図７および図に示すように、高さ調整部７は、スライドプレート７１（図５および図７参照）と、スライドプレート７１の前後方向から見た外周部に接合されるポジショナー７２と、を有している。
【００５９】
スライドプレート７１は、外形が前後方向から見て上下方向に長い略長方形となるブロック状に形成されている。スライドプレート７１には、ランバーサポート本体部４１のアーム部４１３に接合されるためボルト７１１が挿通されるボルト孔７１２が形成されている。スライドプレート７１は、一対のスライド面５４１に沿って上下方向にスライド可能に構成されている。
【００６０】
ポジショナー７２は、前後方向に貫通する開口部７２１が形成された枠状に形成されている。ポジショナー７２の開口部７２１には、スライドプレート７１が嵌合するように構成されている（図１４参照）。ポジショナー７２とスライドプレート７１とは、互いに嵌合した状態で第１取付部材５の第１基部５２のスリット５３およびガイド壁５４と第２取付部材６の第２基部６２の溝部６２１が形成された部分との間に配置されている。
ポジショナー７２には、幅方向の両側に前側に突出する突起部７２２が形成されている。ポジショナー７２は、一対のノッチ面５４３に沿って上下方向にスライド可能に構成され、突起部７２２がノッチ面５４３の複数のノッチ５４２にそれぞれ係合可能に構成されている。
【００６１】
ランバーサポート本体部４１のアーム部４１３と高さ調整部７とは、第１基部５２のスリット５３およびガイド壁５４を挟んで対向し、スリット５３を貫通する上下一対のボルト７１１によって互いに連結されている。これにより、アーム部４１３および高さ調整部７は、スリット５３に沿って上下方向にスライド移動可能となっている。高さ調整部７は、ポジショナー７２の上端部がスリット５３の上壁と当接することによって上側への移動が規制され、ポジショナー７２の下端部がスリット５３の下壁と当接することによって下側への移動が規制されている。これにより、ランバーサポート本体部４１は、上下方向の移動範囲が規制されている。
【００６２】
高さ調整部７が移動領域の下部側に配置されている場合は、高さ調整部７の後側には第２取付部材６の第２基部６２が配置され、移動領域の上部側に配置されている場合は、後側に背面カバー４３が配置されている。
高さ調整部７のポジショナー７２の突起部７２２が所望の高さのノッチ５４２に係合することで、アーム部４１３および高さ調整部７がスリット５３に沿った複数段階の所望の高さ位置に固定される。このようにして、ランバーサポート本体部４１を所望の高さに配置することができる。
【００６３】
背面カバー４３は、第１基部５２の背面カバー係合部および第２基部６２の背面カバー係合部と係合可能な係合部（不図示）を有していて、係合部が第１基部５２の背面カバー係合部および第２基部６２の背面カバー係合部と係合することで、第１取付部材５および第２取付部材６に装着されるように構成されている。
【００６４】
ランバーサポート４を下枠材２２３に装着するには以下のように行う。
まず、第１取付部材５および第２取付部材６を下枠材２２３に取り付ける。
第１取付部材５を、下枠材２２３の前側に配置し、第１当接部５１１を下枠材２２３の突出部２４の膨出部２７に当接させるとともに、第２被係止部５１２を下枠材２２３の凹部２５に挿入する。
第１取付部材５の設置と前後して、図１５および図１６に示すように、第２取付部材６を下枠材２２３の後側に配置し、第２当接部６１１を下枠材２２３の突出部２４の板状部２６の後面２６ｂに当接させる。なお、図１５および図１６では第１取付部材５の図示を省略している。
また、第２取付部材６のフック部６１２を下枠材２２３の突出部２４の膨出部２７に前側から引っ掛けて、第１取付部材５のフック部用開口部５５３の内部に配置する。
そして、第１基部５２の第１基部側当接部５２３と第２基部６２の第２基部側当接部６２３とを前後方向に当接させ、第１基部５２と第２基部６２とボルト５２２で締結する。
このように第１取付部材５と第２取付部材６とが接合されると、第１取付部材５および第２取付部材６の位置が固定され、第１取付部材５および第２取付部材６が下枠材２２３に取り付けられた状態となる。このとき、第２被係止部５１２の先端部分は、基部２３の上面２３ａ（回動拘束面２８）と当接している。
【００６５】
続いて、第１取付部材５および第２取付部材６にランバーサポート本体部４１を取り付ける。
第１基部５２のスリット５３の前側にランバーサポート本体部４１を配置し、第１基部５２のスリット５３の後側に、高さ調整部７を配置する。そして、スリット５３を介してランバーサポート本体部４１のアーム部４１３と高さ調整部７とをボルト７１１で接合する。高さ調整部７のポジショナー７２の突起部７２２をガイド壁５４のノッチ５４２と係合させる。
【００６６】
続いて、背面カバー４３を設置する。第１基部５２および第２基部６２の後方に背面カバー４３を配置し、第１基部５２および第２基部６２に係合させる。これにより、ランバーサポート４が背凭れ本体２２に装着される。
このようにしてランバーサポート４が下枠材２２３に取り付けられる。
【００６７】
次に、着座者が背凭れに寄りかかった際のランバーサポート４の挙動について説明する。
着座者が背凭れに寄りかかると、図１７（ａ）に示すように、まず、ランバーサポート本体部４１のメインサポート部４１１における荷重支持面材８が面材３を介して着座者から前側から後側に向かう荷重を受ける。これにより、荷重支持面材８が後側に潰されるように弾性変形する。荷重支持面材８は、外周枠部９と一体に形成されているが、外周枠部９よりも前側に配置されているとともに、外周枠部９よりも軟質で弾性変形しやすいため、外周枠部９よりも先に荷重支持面材８が弾性変形する。
【００６８】
図１７（ｂ）に示すように、更にメインサポート部４１１に、前側から後側に向かって作用する荷重が大きくなると、荷重支持面材８が後側に向かおうとする。また、荷重支持面材８がさらに潰されて外側に広がろうとする。このため、荷重支持面材８から外周枠部９に後側および外側に向かう荷重が作用する。
これにより、外周枠部９が外側に広がるように弾性変形する。なお、外周枠部９は、後側に移動しようとするが、下側がアーム部４１３と接続されて前後方向の移動が規制されているため、上部側がやや後側に向かうように斜めに弾性変形する。
【００６９】
上述しているが、外周枠部９には、荷重支持面材８の接続部８１から荷重が伝達するように構成されている。そして、接続部８１の前側接続部８１１は、外周枠部９の前面９１ａ，９２ａに接続され、内側接続部８１２は外周枠部９の内面９１ｂ，９２ｂに接続され、前側接続部８１１および内側接続部８１２は、それぞれ荷重支持面８ａが形成された本体部８２と連続している。
このため、荷重支持面材８からの前側から後側に向かう荷重が前側接続部８１１を介して外周枠部９に効率的に伝達し、内側から外側に向かう荷重が内側接続部８１２を外周枠部９に効率的に伝達する。
外周枠部９が外側に広がるように弾性変形することにより、外周枠部９の内部が広がるため、荷重支持面材８がさらに弾性変形して潰れた状態となる。
【００７０】
上記のように荷重支持面８ａに作用した前側からの荷重によって弾性変形したメインサポート部４１１には、荷重支持面材８および外周枠部９の復元力が作用する。外周枠部９の復元力は、前側および内側に向かうように作用し、荷重支持面材８の復元力は前側に向かうように作用する。この復元力によって、メインサポート部４１１が着座者の腰を支持するように構成されている。なお、メインサポート部４１１は、前側からの荷重作用しなくなると、外周枠部および荷重支持面材はそれぞれ復元され、形状が復元される。
【００７１】
次に、上述した本実施形態によるランバーサポート（椅子用荷重支持部材）の作用・効果について図面を用いて説明する。
本実施形態によるランバーサポート４は、荷重支持面材８が外周枠部９よりも弾性変形しやすく構成されていることにより、前側からの荷重を受けると、まず、小さい荷重で荷重支持面材８が弾性変形し、更に荷重が大きくなると、荷重支持面材８から外周枠部９に荷重が伝達し、外周枠部９が弾性変形することになる。外周枠部９に伝達する荷重は、荷重支持面材８が弾性変形する方向の荷重となるため、外周枠部９が外側かつ後側に弾性変形する。これにより、外周枠部９が荷重支持面材８の弾性変形を拘束する拘束力が弱まるため、荷重支持面材８もさらに弾性変形することができる。このように、荷重支持面材８の荷重を受けて弾性変形した際の変形量の許容範囲を向上させることができる。
【００７２】
また、荷重支持面材８の接続部８１が、外周枠部９の前面９１ａ，９２ａに接続された前側接続部８１１と、外周枠部９の内面９１ｂ，９２ｂに接続された内側接続部８１２と、を有している。これにより、前側接続部８１１から外周枠部に対して前側から後側に向かって荷重が伝達しやすく、内側接続部８１２から外周枠部９に対して内側から外側に向かって荷重が伝達しやすい。
荷重支持面材８の弾性変形によって外周枠部９に伝達する荷重の方向は、主に前側から後側に向かう方向、および外周枠部の内側から外側に向かう方向である。このため、荷重支持面８ａに着座者の荷重が作用した際に荷重支持面材８から外周枠部９に効率的に荷重を伝達することができ、外周枠部９を効率的に弾性変形させることができる。その結果、荷重支持面材８がさらに弾性変形することができて、荷重支持面材８の荷重を受けて弾性変形した際の変形量の許容範囲を向上させることができる。
【００７３】
また、接続部８１は、外周枠部９に対して外側から接続された第３接続部８１４を有することにより、接続部８１が外周枠部９と確実に接続され、荷重支持面材８が外周枠部９から外れることを防止できる。
【００７４】
また、外周枠部９は、上側に湾曲する第１外周枠部９１と下側に湾曲する第２外周枠部とを有し、それぞれの端部が角部を形成するように交差して接続されている。これにより、第１外周枠部９１と第２外周枠部９２との接合部を起点として、第１外周枠部９１および第２外周枠部９２をそれぞれが互いに離間するように上下方向に弾性変形させて湾曲させることができる。これにより、外周枠部９の内部が広がり、荷重支持面材８の荷重を受けて弾性変形した際の変形量の許容範囲を向上させることができる。
【００７５】
また、外周枠部９は幅方向の寸法が、上下方向の寸法よりも大きく形成されていることにより、幅方向よりも上下方向に弾性変形しやすくなる。このため、荷重支持面材８を幅方向よりも上下方向に弾性変形しやすい構成とすることができる。
【００７６】
また、昇降操作部４１２は、第１外周枠部９１と第２外周枠部９２との接合部分に設けられていることにより、使用者が昇降操作部４１２を把持してランバーサポート本体部４１の位置調整を行った際に、外周枠部９が昇降操作部４１２から受ける負荷は、第１外周枠部９１と第２外周枠部９２との接合部分に作用する。この第１外周枠部９１と第２外周枠部９２との接合部分は、第１外周枠部９１および第２外周枠部９２における他の部分と比べて高強度となる。このため、使用者が昇降操作部４１２を把持して行う位置調整が頻繁に行われたとしても、外周枠部９が昇降操作部４１２から受ける負荷によって損傷したり変形したりすることを防止できる。
【００７７】
以上、本発明による椅子用荷重支持部材の実施形態について説明したが、本発明は上記の実施形態に限定されるものではなく、その趣旨を逸脱しない範囲で適宜変更可能である。
例えば、上記の実施形態では、椅子用荷重支持部材はランバーサポート４であるが、ランバーサポート４以外のヘッドレストなどの荷重を支持する部材であってもよい。
また、上記の実施形態では、荷重支持面材８の接続部８１は、外側接続部８１４および突出部８１３が設けられているが、外側接続部８１４および突出部８１３が設けられていなくてもよい。荷重支持面材８の接続部８１は、少なくとも、外周枠部９に対して荷重支持面８ａが荷重を受ける方向の基端側、および内側に接続されていればよい。
【００７８】
また、上記の実施形態では、外周枠部９が第１外周枠部９１および第２外周枠部９２を有し、それぞれが外側に湾曲し、延在方向の全体にわたって湾曲部９５が形成されている。これに対し、第１外周枠部９１および第２外周枠部９２のいずれか一方のみに湾曲部９５が形成されていてもよいし、両方に湾曲部９５が形成されていなくてもよい。
また、第１外周枠部９１に対して全体ではなく一部のみや部分的に複数個所に湾曲部９５が形成されていてもよい。また、第２外周枠部９２に対して全体ではなく一部のみや、部分的に複数個所に湾曲部９５が形成されていてもよい。
また、外周枠部９は、円形や矩形の枠状に形成されていてもよく内側に空部が形成されていれば外形は適宜設定されてよい。
また、上記の実施形態では、外周枠部９は幅方向の寸法が、上下方向の寸法よりも大きく形成されているが、幅方向の寸法と上下方向の寸法の比率は適宜設定されてよい。
【００７９】
また、上記の実施形態では、昇降操作部４１２は、第１外周枠部９１と第２外周枠部９２との接合部分に設けられているが、第１外周枠部９１と第２外周枠部９２との接合部分以外に設けられていてもよい。また、昇降操作部４１２の形態は上記以外の形態であってもよい。
【符号の説明】
【００８０】
４  ランバーサポート（椅子用荷重支持部材）
８  荷重支持面材
８ａ  荷重支持面
９  外周枠部
１１  椅子
４１  ランバーサポート本体部
８１  接続部
８２  本体部
９１  第１外周枠部
９２  第２外周枠部
９５  湾曲部
４１１  メインサポート部
４１２  昇降操作部（操作部）
８１１  前側接続部（第１接続部）
８１２  内側接続部（第２接続部）
８１４  外側接続部（第３接続部）
【図１】
2018174993.tif 000003
【図２】
2018174993.tif 000004
【図３】
2018174993.tif 000005
【図４】
2018174993.tif 000006
【図５】
2018174993.tif 000007
【図６】
2018174993.tif 000008
【図７】
2018174993.tif 000009
【図８】
2018174993.tif 000010
【図９】
2018174993.tif 000011
【図１０】
2018174993.tif 000012
【図１１】
2018174993.tif 000013
【図１２】
2018174993.tif 000014
【図１３】
2018174993.tif 000015
【図１４】
2018174993.tif 000016
【図１５】
2018174993.tif 000017
【図１６】
2018174993.tif 000018
【図１７】
2018174993.tif 000019